【手続補正書】
【提出日】平成29年7月27日(2017.7.27)
【手続補正１】
【補正対象書類名】明細書
【補正対象項目名】００１４
【補正方法】変更
【補正の内容】
【００１４】
上記の目的を達成するため、本発明による画像形成装置は、シートに画像を形成する画像形成装置であって、前記シートに画像を形成する画像形成部と、前記画像形成装置に着脱可能に装着される定着部であって、当該定着部と交換可能に装着される他の定着部と識別するための識別情報を示す識別部を備え、前記画像形成部により形成された画像をシートに定着する定着部と、操作者の指示に基づき、前記定着部にて定着処理可能な複数のシートサイズのうち、前記定着部による定着処理の実行を許容するサイズの登録を受け付ける受付部と、前記受付部にて前記サイズの登録がなされた場合、前記受付部にてなされた登録に従い、前記定着部による定着処理の実行が許容されるシートのサイズの情報を前記定着部の前記識別情報と対応付けて記憶する記憶部と、前記定着部を用いる印刷処理の実行を許容するか否かを制御する制御部と、を有し、前記記憶部に、前記画像形成装置に装着されている前記定着部の前記識別情報と対応付けられた前記サイズの情報が記憶されている場合、前記制御部は、前記記憶部に前記識別情報と対応付けて記憶されている前記サイズの情報に基づき、前記定着部を用いる印刷処理の実行を許容するか否かを制御し、前記記憶部に、前記画像形成装置に装着されている前記定着部の前記識別情報と対応付けられた前記サイズの情報が記憶されていない場合、前記制御部は、前記定着部にて定着処理可能な前記複数のシートサイズのシートに対し印刷処理の実行を許容することを特徴とする。
【手続補正２】
【補正対象書類名】明細書
【補正対象項目名】００１５
【補正方法】変更
【補正の内容】
【００１５】
本発明による制御方法は、シートに画像を形成する画像形成部と、画像形成装置に着脱可能に装着される定着部であって、当該定着部と交換可能に装着される他の定着部と識別するための識別情報を示す識別部を備え前記画像形成部により形成された画像を前記シートに定着する定着部とを有する画像形成装置の制御方法であって、操作者の指示に基づき、前記定着部にて定着処理可能な複数のシートサイズのうち、前記定着部による定着処理の実行を許容するサイズの登録を受け付ける受付ステップと、前記受付ステップで前記サイズの登録がなされた場合、前記受付ステップでなされた登録に従い、前記定着部による定着処理の実行が許容されるシートのサイズの情報を前記定着部の前記識別情報と対応付けてメモリに記憶する記憶ステップと、前記定着部を用いる印刷処理の実行を許容するか否かを制御する制御ステップと、を有し、前記メモリに、前記画像形成装置に装着されている前記定着部の前記識別情報と対応付けられた前記サイズの情報が記憶されている場合、前記制御ステップでは、前記メモリに前記識別情報と対応付けて記憶されている前記サイズの情報に基づき、前記定着部を用いる印刷処理の実行を許容するか否かを制御し、前記メモリに、前記画像形成装置に装着されている前記定着部の前記識別情報と対応付けられた前記サイズの情報が記憶されていない場合、前記制御ステップで、前記定着部にて定着処理可能な前記複数のシートサイズのシートに対し印刷処理の実行を許容することを特徴とする。
【手続補正３】
【補正対象書類名】明細書
【補正対象項目名】００１６
【補正方法】変更
【補正の内容】
【００１６】
本発明による制御プログラムは、シートに画像を形成する画像形成部と、画像形成装置に着脱可能に装着される定着部であって、当該定着部と交換可能に装着される他の定着部と識別するための識別情報を示す識別部を備え前記画像形成部により形成された画像を前記シートに定着する定着部とを有する画像形成装置で用いられる制御プログラムであって、前記画像形成装置が備えるコンピュータに、操作者の指示に基づき、前記定着部にて定着処理可能な複数のシートサイズのうち、前記定着部による定着処理の実行を許容するサイズの登録を受け付ける受付ステップと、前記受付ステップで前記サイズの登録がなされた場合、前記受付ステップでなされた登録に従い、前記定着部による定着処理の実行が許容されるシートのサイズの情報を前記定着部の前記識別情報と対応付けてメモリに記憶する記憶ステップと、前記定着部を用いる印刷処理の実行を許容するか否かを制御する制御ステップと、を実行させ、前記メモリに、前記画像形成装置に装着されている前記定着部の前記識別情報と対応付けられた前記サイズの情報が記憶されている場合、前記制御ステップでは、前記メモリに前記識別情報と対応付けて記憶されている前記サイズの情報に基づき、前記定着部を用いる印刷処理の実行を許容するか否かを制御し、前記メモリに、前記画像形成装置に装着されている前記定着部の前記識別情報と対応付けられた前記サイズの情報が記憶されていない場合、前記制御ステップで、前記定着部にて定着処理可能な前記複数のシートサイズのシートに対し印刷処理の実行を許容することを特徴とする。
【手続補正４】
【補正対象書類名】明細書
【補正対象項目名】００１７
【補正方法】変更
【補正の内容】
【００１７】
本発明によれば、定着部にて定着処理の実行が許容されるシートの情報を操作者の指示に基づいて登録することができ、登録された情報に応じて画像形成装置に装着されている定着部での印刷処理の実行を制御するようにしたので、無駄に印刷を行うことなく、しかも良好な印刷を行うことができる。
【手続補正５】
【補正対象書類名】明細書
【補正対象項目名】０１１７
【補正方法】削除
【補正の内容】
【手続補正６】
【補正対象書類名】明細書
【補正対象項目名】０１２０
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
シートに画像を形成する画像形成装置であって、
前記シートに画像を形成する画像形成部と、
前記画像形成装置に着脱可能に装着される定着部であって、当該定着部と交換可能に装着される他の定着部と識別するための識別情報を示す識別部を備え、前記画像形成部により形成された画像をシートに定着する定着部と、
操作者の指示に基づき、前記定着部にて定着処理可能な複数のシートサイズのうち、前記定着部による定着処理の実行を許容するサイズの登録を受け付ける受付部と、
前記受付部にて前記サイズの登録がなされた場合、前記受付部にてなされた登録に従い、前記定着部による定着処理の実行が許容されるシートのサイズの情報を前記定着部の前記識別情報と対応付けて記憶する記憶部と、
前記定着部を用いる印刷処理の実行を許容するか否かを制御する制御部と、
を有し、
前記記憶部に、前記画像形成装置に装着されている前記定着部の前記識別情報と対応付けられた前記サイズの情報が記憶されている場合、前記制御部は、前記記憶部に前記識別情報と対応付けて記憶されている前記サイズの情報に基づき、前記定着部を用いる印刷処理の実行を許容するか否かを制御し、
前記記憶部に、前記画像形成装置に装着されている前記定着部の前記識別情報と対応付けられた前記サイズの情報が記憶されていない場合、前記制御部は、前記定着部にて定着処理可能な前記複数のシートサイズのシートに対し印刷処理の実行を許容することを特徴とする画像形成装置。
【請求項２】
前記記憶部に、前記画像形成装置に装着されている前記定着部の前記識別情報と対応付けられた前記サイズの情報が記憶されている場合において、
前記制御部は、前記記憶部に前記識別情報と対応付けて記憶されている前記サイズの情報と一致しないサイズのシートに対し、前記定着部を用いる印刷処理の実行を禁止し、前記記憶部に前記識別情報と対応付けて記憶されている前記サイズの情報と一致するサイズのシートに対し、前記定着部を用いる印刷処理の実行を許容することを特徴とする請求項１に記載の画像形成装置。
【請求項３】
前記定着部の交換を促す報知を行う報知部を有し、
前記記憶部に、前記画像形成装置に装着されている前記定着部の前記識別情報と対応付けられた前記サイズの情報が記憶されている場合であって前記記憶部に前記識別情報と対応付けて記憶されている前記サイズの情報と一致しないサイズのシートに印刷するジョブが入力された場合、前記報知部は、前記報知を行うことを特徴とする請求項２に記載の画像形成装置。
【請求項４】
前記受付部は、表示部と、前記表示部を制御する表示制御部と、を有し、
前記表示制御部は、前記定着部にて定着処理可能な複数のシートサイズのうち、前記定着部による定着処理の実行を許容するサイズを登録する登録画面を、前記表示部に表示することを特徴とする請求項１乃至３のいずれか１項に記載の画像形成装置。
【請求項５】
シートに画像を形成する画像形成装置であって、
入力されたジョブを実行するために、前記シートに画像を形成する画像形成部と、
前記画像形成装置に着脱可能に装着される定着部であって、当該定着部と交換可能に装着される他の定着部と識別するための識別情報を示す識別部を備え、前記画像形成部により形成された画像をシートに定着する定着部と、
操作者の指示に基づき、前記定着部にて定着処理可能な複数のシートサイズのうち、前記定着部による定着処理の実行を許容するサイズの登録を受け付ける受付部と、
前記受付部にて前記サイズの登録がなされた場合、前記受付部にてなされた登録に従い、前記定着部による定着処理の実行が許容されるシートのサイズの情報を前記定着部の前記識別情報と対応付けて記憶する記憶部と、
前記定着部を用いる印刷処理の実行を制御する制御部と、
を有し、
前記記憶部に、前記画像形成装置に装着されている前記定着部の前記識別情報と対応付けられた前記サイズの情報が記憶されている場合において、前記制御部は、前記記憶部に前記識別情報と対応付けて記憶されている前記サイズの情報と一致しないサイズのシートに印刷するジョブが入力された場合には、前記定着部の交換を促す報知を行い、前記記憶部に前記識別情報と対応付けて記憶されている前記サイズの情報と一致するサイズのシートに印刷するジョブが入力された場合には、前記報知を行うことなく前記定着部を用いて入力されたジョブに対応する印刷処理を実行し、
前記記憶部に、前記画像形成装置に装着されている前記定着部の前記識別情報と対応付けられた前記サイズの情報が記憶されていない場合、前記制御部は、前記報知を行うことなく、前記定着部にて定着処理可能な前記複数のシートサイズのシートに対し印刷処理を実行することを特徴とする画像形成装置。
【請求項６】
前記受付部は、表示部と、前記表示部を制御する表示制御部と、を有し、
前記表示制御部は、前記定着部にて定着処理可能な複数のシートサイズのうち、前記定着部による定着処理の実行を許容するサイズを登録する登録画面を、前記表示部に表示することを特徴とする請求項５に記載の画像形成装置。
【請求項７】
シートに画像を形成する画像形成装置であって、
前記シートに画像を形成する画像形成部と、
前記画像形成装置に着脱可能に装着される定着部であって、当該定着部と交換可能に装着される他の定着部と識別するための識別情報を示す識別部を備え、前記画像形成部により形成された画像をシートに定着する定着部と、
操作者の指示に基づき、前記定着部にて定着処理可能な複数のシートの種類のうち、前記定着部による定着処理の実行を許容するシートの種類の登録を受け付ける受付部と、
前記受付部にて前記シートの種類の登録がなされた場合、前記受付部にてなされた登録に従い、前記定着部による定着処理の実行が許容されるシートの種類の情報を前記定着部の前記識別情報と対応付けて記憶する記憶部と、
前記定着部を用いる印刷処理の実行を許容するか否かを制御する制御部と、
を有し、
前記記憶部に、前記画像形成装置に装着されている前記定着部の前記識別情報と対応付けられた前記シートの種類の情報が記憶されている場合、前記制御部は、前記記憶部に前記識別情報と対応付けて記憶されている前記シートの種類の情報に基づき、前記定着部を用いる印刷処理の実行を許容するか否かを制御し、
前記記憶部に、前記画像形成装置に装着されている前記定着部の前記識別情報と対応付けられた前記シートの種類の情報が記憶されていない場合、前記制御部は、前記定着部にて定着処理可能な前記複数の種類のシートに対し印刷処理の実行を許容することを特徴とする画像形成装置。
【請求項８】
前記記憶部に、前記画像形成装置に装着されている前記定着部の前記識別情報と対応付けられた前記シートの種類の情報が記憶されている場合において、
前記制御部は、前記記憶部に前記識別情報と対応付けて記憶されている前記シートの種類の情報と一致しない種類のシートに対し、前記定着部を用いる印刷処理の実行を禁止し、前記記憶部に前記識別情報と対応付けて記憶されている前記シートの種類の情報と一致する種類のシートに対し、前記定着部を用いる印刷処理の実行を許容することを特徴とする請求項７に記載の画像形成装置。
【請求項９】
前記定着部の交換を促す報知を行う報知部を有し、
前記記憶部に、前記画像形成装置に装着されている前記定着部の前記識別情報と対応付けられた前記シートの種類の情報が記憶されている場合であって前記記憶部に前記識別情報と対応付けて記憶されている前記シートの種類の情報と一致しない種類のシートに印刷するジョブが入力された場合、前記報知部は、前記報知を行うことを特徴とする請求項８に記載の画像形成装置。
【請求項１０】
前記受付部は、表示部と、前記表示部を制御する表示制御部と、を有し、
前記表示制御部は、前記定着部にて定着処理可能な複数のシートの種類のうち、前記定着部による定着処理の実行を許容するシートの種類を登録する登録画面を、前記表示部に表示することを特徴とする請求項７乃至９のいずれか１項に記載の画像形成装置。
【請求項１１】
シートに画像を形成する画像形成装置であって、
入力されたジョブを実行するために、前記シートに画像を形成する画像形成部と、
前記画像形成装置に着脱可能に装着される定着部であって、当該定着部と交換可能に装着される他の定着部と識別するための識別情報を示す識別部を備え、前記画像形成部により形成された画像をシートに定着する定着部と、
操作者の指示に基づき、前記定着部にて定着処理可能な複数のシートの種類のうち、前記定着部による定着処理の実行を許容するシートの種類の登録を受け付ける受付部と、
前記受付部にて前記シートの種類の登録がなされた場合、前記受付部にてなされた登録に従い、前記定着部による定着処理の実行が許容されるシートの種類の情報を前記定着部の前記識別情報と対応付けて記憶する記憶部と、
前記定着部を用いる印刷処理の実行を制御する制御部と、
を有し、
前記記憶部に、前記画像形成装置に装着されている前記定着部の前記識別情報と対応付けられた前記シートの種類の情報が記憶されている場合において、前記制御部は、前記記憶部に前記識別情報と対応付けて記憶されている前記シートの種類の情報と一致しない種類のシートに印刷するジョブが入力された場合には、前記定着部の交換を促す報知を行い、前記記憶部に前記識別情報と対応付けて記憶されている前記シートの種類の情報と一致する種類のシートに印刷するジョブが入力された場合には、前記報知を行うことなく前記定着部を用いて入力されたジョブに対応する印刷処理を実行し、
前記記憶部に、前記画像形成装置に装着されている前記定着部の前記識別情報と対応付けられた前記シートの種類の情報が記憶されていない場合、前記制御部は、前記報知を行うことなく、前記定着部にて定着処理可能な前記複数の種類のシートに対し印刷処理を実行することを特徴とする画像形成装置。
【請求項１２】
前記受付部は、表示部と、前記表示部を制御する表示制御部と、を有し、
前記表示制御部は、前記定着部にて定着処理可能な複数のシートの種類のうち、前記定着部による定着処理の実行を許容するシートの種類を登録する登録画面を、前記表示部に表示することを特徴とする請求項１１に記載の画像形成装置。
【請求項１３】
シートに画像を形成する画像形成部と、画像形成装置に着脱可能に装着される定着部であって、当該定着部と交換可能に装着される他の定着部と識別するための識別情報を示す識別部を備え前記画像形成部により形成された画像を前記シートに定着する定着部とを有する画像形成装置の制御方法であって、
操作者の指示に基づき、前記定着部にて定着処理可能な複数のシートサイズのうち、前記定着部による定着処理の実行を許容するサイズの登録を受け付ける受付ステップと、
前記受付ステップで前記サイズの登録がなされた場合、前記受付ステップでなされた登録に従い、前記定着部による定着処理の実行が許容されるシートのサイズの情報を前記定着部の前記識別情報と対応付けてメモリに記憶する記憶ステップと、
前記定着部を用いる印刷処理の実行を許容するか否かを制御する制御ステップと、
を有し、
前記メモリに、前記画像形成装置に装着されている前記定着部の前記識別情報と対応付けられた前記サイズの情報が記憶されている場合、前記制御ステップでは、前記メモリに前記識別情報と対応付けて記憶されている前記サイズの情報に基づき、前記定着部を用いる印刷処理の実行を許容するか否かを制御し、
前記メモリに、前記画像形成装置に装着されている前記定着部の前記識別情報と対応付けられた前記サイズの情報が記憶されていない場合、前記制御ステップで、前記定着部にて定着処理可能な前記複数のシートサイズのシートに対し印刷処理の実行を許容することを特徴とする制御方法。
【請求項１４】
シートに画像を形成する画像形成部と、画像形成装置に着脱可能に装着される定着部であって、当該定着部と交換可能に装着される他の定着部と識別するための識別情報を示す識別部を備え前記画像形成部により形成された画像を前記シートに定着する定着部とを有する画像形成装置で用いられる制御プログラムであって、
前記画像形成装置が備えるコンピュータに、
操作者の指示に基づき、前記定着部にて定着処理可能な複数のシートサイズのうち、前記定着部による定着処理の実行を許容するサイズの登録を受け付ける受付ステップと、
前記受付ステップで前記サイズの登録がなされた場合、前記受付ステップでなされた登録に従い、前記定着部による定着処理の実行が許容されるシートのサイズの情報を前記定着部の前記識別情報と対応付けてメモリに記憶する記憶ステップと、
前記定着部を用いる印刷処理の実行を許容するか否かを制御する制御ステップと、
を実行させ、
前記メモリに、前記画像形成装置に装着されている前記定着部の前記識別情報と対応付けられた前記サイズの情報が記憶されている場合、前記制御ステップでは、前記メモリに前記識別情報と対応付けて記憶されている前記サイズの情報に基づき、前記定着部を用いる印刷処理の実行を許容するか否かを制御し、
前記メモリに、前記画像形成装置に装着されている前記定着部の前記識別情報と対応付けられた前記サイズの情報が記憶されていない場合、前記制御ステップで、前記定着部にて定着処理可能な前記複数のシートサイズのシートに対し印刷処理の実行を許容することを特徴とする制御プログラム。